(57)【要約】【課題】透過表示と反射表示のカラー表示を実現するためのカラー要素を異ならしめることにより、両表示の表示品位及びそのバランスを容易に確保することができるカラーフィルタ構造及びこれを備えた電気光学装置を提供する。【解決手段】本発明の電気光学装置は、光透過領域Ａｔ及び光反射領域Ａｒを有し、前記光透過領域及び前記光反射領域のそれぞれに三色のうちの一色の着色層１２２ａｔ，１２２ａｒが配置されてなる三種のサブ画素Ｄｘｒ，Ｄｘｇ，Ｄｘｂと、前記三色以外の少なくとも一色の着色層が配置されてなる光透過領域を有する少なくとも一種のサブ画素Ｄｘｃとを含み、前記三種のサブ画素及び前記少なくとも一種のサブ画素を表示単位の画素Ｐｘとして複数のサブ画素が所定パターンで配列されてなり、前記少なくとも一種のサブ画素Ｄｘｃは、前記着色層が配置されていない光反射領域Ａｒを有することを特徴とする。【選択図】図１
2006350280.tif 000002
【特許請求の範囲】
【請求項１】
光透過領域及び光反射領域を有した複数のサブ画素を備え、前記複数のサブ画素のそれ
ぞれに対応して着色層が配置され、前記着色層は三色の原色系のフィルタ色と前記三色の
原色系以外の補色系のフィルタ色によって構成されてなり、前記光透過領域によって透過
表示を行い、前記光反射領域によって反射表示を行うとともに、反射表示と透過表示のい
ずれの表示においてもカラー表示を行う電気光学装置であって、
前記複数のサブ画素のそれぞれにおいて、前記三色の原色系のフィルタ色及び前記補色
系のフィルタ色のいずれかの前記着色層が少なくとも前記光透過領域に配置されてなり、
前記補色系のフィルタ色の前記着色層が配置されたサブ画素の前記光反射領域には前記着
色層が設けられていないことを特徴とする電気光学装置。
【請求項２】
前記複数のサブ画素のそれぞれにおいて、前記三色の原色系のフィルタ色の前記着色層
が配置されたサブ画素の前記光透過領域の面積と、前記補色系のフィルタ色の前記着色層
が配置されたサブ画素の前記光透過領域の面積が同一であることを特徴とする請求項１に
記載の電気光学装置。
【請求項３】
前記複数のサブ画素のそれぞれにおいて、前記三色の原色系のフィルタ色の前記着色層
が配置されたサブ画素の前記光反射領域の面積と、前記補色系のフィルタ色の前記着色層
が配置されたサブ画素の前記着色層が設けられていない前記光反射領域の面積が同一であ
ることを特徴とする請求項１又は２に記載の電気光学装置。
【請求項４】
前記複数のサブ画素のそれぞれにおいて、前記三色の原色系のフィルタ色の前記着色層
が配置されたサブ画素の面積と、前記補色系のフィルタ色の前記着色層が配置されたサブ
画素の面積が同一であることを特徴とする請求項１乃至３のいずれか一項に記載の電気光
学装置。
【請求項５】
前記三色の原色系のフィルタ色の前記着色層が配置されたサブ画素には、当該サブ画素
の前記光反射領域に前記着色層が形成されていない部分が設けられた少なくとも一つのサ
ブ画素が含まれていることを特徴とする請求項１乃至４のいずれか一項に記載の電気光学
装置。
【請求項６】
前記補色系のフィルタ色はシアンであることを特徴とする請求項１乃至５のいずれか一
項に記載の電気光学装置。
【請求項７】
光透過領域及び光反射領域を有し、前記光透過領域及び前記光反射領域のそれぞれに三
色のうちの一色の着色層が配置された三つの前記三色に対応したサブ画素と、前記三色以
外の一色の着色層が光透過領域に配置された少なくとも一つのサブ画素とを備え、前記光
透過領域によって透過表示を行い、前記光反射領域によって反射表示を行う電気光学装置
であって、
前記少なくとも一つのサブ画素は、前記着色層が配置されていない光反射領域を有する
ことを特徴とする電気光学装置。
【請求項８】
前記三つの前記三色に対応したサブ画素及び前記少なくとも一つのサブ画素のそれぞれ
の前記光透過領域が相互に同一面積であることを特徴とする請求項７に記載の電気光学装
置。
【請求項９】
前記三つの前記三色に対応したサブ画素及び前記少なくとも一つのサブ画素のそれぞれ
の前記光反射領域が相互に同一面積であることを特徴とする請求項７又は８に記載の電気
光学装置。
【請求項１０】
前記三つの前記三色に対応したサブ画素と前記少なくとも一つのサブ画素は同一面積で
あることを特徴とする請求項７乃至９のいずれか一項に記載の電気光学装置。
【請求項１１】
前記三つの前記三色に対応したサブ画素の前記光反射領域の少なくとも一つには、前記
着色層が形成されていない部分が設けられていることを特徴とする請求項７乃至９のいず
れか一項に記載の電気光学装置。
【請求項１２】
前記三色は原色系のフィルタ色であり、前記三色以外の色は補色系のフィルタ色である
ことを特徴とする請求項７乃至１１のいずれか一項に記載の電気光学装置。
【請求項１３】
前記三色以外の色はシアンであることを特徴とする請求項１２に記載の電気光学装置。
【請求項１４】
光透過領域及び光反射領域を有した複数のサブ画素を備え、前記複数のサブ画素のそれ
ぞれに対応して着色領域が配置され、前記着色領域は、波長に応じて色相が変化する可視
光領域のうち、
青系の色相の第１着色領域、
赤系の色相の第２着色領域、
青から黄までの色相の中で選択された異なる２種の色相を有する第３着色領域および第
４着色領域
によって構成されてなり、前記光透過領域によって透過表示を行い、前記光反射領域によ
って反射表示を行うとともに、反射表示と透過表示のいずれの表示においてもカラー表示
を行う電気光学装置であって、
前記複数のサブ画素のそれぞれにおいて、前記第１着色領域乃至前記第４着色領域のい
ずれかが少なくとも前記光透過領域に配置されてなり、前記第３着色領域または前記第４
着色領域のうちの一方が配置されたサブ画素の前記光反射領域には前記着色領域が設けら
れていないことを特徴とする電気光学装置。
【請求項１５】
前記第３着色領域は青から緑の色相の着色領域であり、前記第４着色領域は緑から橙の
色相の着色領域であることを特徴とする請求項１４に記載の電気光学装置。
【請求項１６】
光透過領域及び光反射領域を有した複数のサブ画素を備え、前記複数のサブ画素のそれ
ぞれに対応して着色領域が配置され、前記着色領域は、当該着色領域を透過した光の波長
のピークが、
４１５−５００ｎｍにある第１着色領域、
６００ｎｍ以上にある第２着色領域、
４８５−５３５ｎｍにある第３着色領域、
５００−５９０ｎｍにある第４着色領域
によって構成されてなり、前記光透過領域によって透過表示を行い、前記光反射領域によ
って反射表示を行うとともに、反射表示と透過表示のいずれの表示においてもカラー表示
を行う電気光学装置であって、
前記複数のサブ画素のそれぞれにおいて、前記第１着色領域乃至前記第４着色領域のい
ずれかが少なくとも前記光透過領域に配置されてなり、前記第３着色領域または前記第４
着色領域のうちの一方が配置されたサブ画素の前記光反射領域には前記着色領域が設けら
れていないことを特徴とする電気光学装置。
【請求項１７】
前記第３着色領域は、当該着色領域を透過した光の波長のピークが４９５−５２０ｎｍ
にある着色領域であり、前記第４着色領域は、当該着色領域を透過した光の波長のピーク
が５１０−５８５ｎｍにある着色領域であることを特徴とする請求項１６に記載の電気光
学装置。
【請求項１８】
前記複数のサブ画素のそれぞれにおいて、前記第１着色領域、前記第２着色領域、前記
第３着色領域または前記第４着色領域のうちの一方が配置されたサブ画素の前記光透過領
域の面積と、前記第３着色領域または前記第４着色領域のうちの他方が配置されたサブ画
素の前記光透過領域の面積が同一であることを特徴とする請求項１４乃至１７のいずれか
一項に記載の電気光学装置。
【請求項１９】
前記複数のサブ画素のそれぞれにおいて、前記第１着色領域、前記第２着色領域、前記
第３着色領域または前記第４着色領域のうちの一方が配置されたサブ画素の前記光反射領
域の面積と、前記第３着色領域または前記第４着色領域のうちの他方が配置されたサブ画
素の前記着色領域が設けられていない前記光反射領域の面積が同一であることを特徴とす
る請求項１４乃至１８のいずれか一項に記載の電気光学装置。
【請求項２０】
前記複数のサブ画素のそれぞれにおいて、前記第１着色領域、前記第２着色領域、前記
第３着色領域または前記第４着色領域のうちの一方が配置されたサブ画素の面積と、前記
第３着色領域または前記第４着色領域のうちの他方が配置されたサブ画素の面積が同一で
あることを特徴とする請求項１４乃至１９のいずれか一項に記載の電気光学装置。
【請求項２１】
前記第１着色領域、前記第２着色領域、前記第３着色領域または前記第４着色領域のう
ちの一方が配置されたサブ画素には、当該サブ画素の前記光反射領域に前記着色領域が形
成されていない部分が設けられた少なくとも一つのサブ画素が含まれていることを特徴と
する請求項１４乃至２０のいずれか一項に記載の電気光学装置。
【請求項２２】
光透過領域及び光反射領域を有し、前記光透過領域及び前記光反射領域のそれぞれに三
色のうちの一色の着色領域が配置された三つの前記三色に対応したサブ画素と、前記三色
以外の一色の着色領域が光透過領域に配置された少なくとも一つのサブ画素とを備え、前
記光透過領域によって透過表示を行い、前記光反射領域によって反射表示を行う電気光学
装置であって、
前記少なくとも一つのサブ画素は、前記着色領域が配置されていない光反射領域を有す
ることを特徴とする電気光学装置。
【請求項２３】
前記三つの前記三色に対応したサブ画素及び前記少なくとも一つのサブ画素のそれぞれ
の前記光透過領域が相互に同一面積であることを特徴とする請求項２２に記載の電気光学
装置。
【請求項２４】
前記三つの前記三色に対応したサブ画素及び前記少なくとも一つのサブ画素のそれぞれ
の前記光反射領域が相互に同一面積であることを特徴とする請求項２２又は２３に記載の
電気光学装置。
【請求項２５】
前記三つの前記三色に対応したサブ画素と前記少なくとも一つのサブ画素は同一面積で
あることを特徴とする請求項２２乃至２４のいずれか一項に記載の電気光学装置。
【請求項２６】
前記三つの前記三色に対応したサブ画素の前記光反射領域の少なくとも一つには、前記
着色領域が形成されていない部分が設けられていることを特徴とする請求項２２乃至２４
のいずれか一項に記載の電気光学装置。
【請求項２７】
前記三色に対応する着色領域は、波長に応じて色相が変化する可視光領域のうち、
青系の色相の着色領域、
赤系の色相の着色領域、
前記青から黄までの色相の中で選択された２種の色相の着色領域のうちの一方
であり、
前記三色以外の色に対応する着色領域は、
前記青から黄までの色相の中で選択された２種の色相の着色領域のうちの他方
であることを特徴とする請求項２２乃至２６のいずれか一項に記載の電気光学装置。
【請求項２８】
前記青から黄までの色相の中で選択された２種の色相の着色領域は、青から緑の色相の
着色領域および緑から橙の色相の着色領域であることを特徴とする請求項２７に記載の電
気光学装置。
【請求項２９】
前記三色に対応する着色領域は、当該着色領域を透過した光の波長のピークが、
４１５−５００ｎｍにある第１着色領域と、
６００ｎｍ以上にある第２着色領域と、
４８５−５３５ｎｍにある第３着色領域または５００−５９０ｎｍにある第４着色領域
のうちの一方
であり、
前記三色以外の色に対応する着色領域は、
前記第３着色領域または前記第４着色領域のうちの他方
であることを特徴とする請求項２２乃至２６のいずれか一項に記載の電気光学装置。
【請求項３０】
前記第３着色領域は、当該着色領域を透過した光の波長のピークが４９５−５２０ｎｍ
にある着色領域であり、前記第４着色領域は、当該着色領域を透過した光の波長のピーク
が５１０−５８５ｎｍにある着色領域であることを特徴とする請求項２９に記載の電気光
学装置。
【請求項３１】
請求項１乃至３０のいずれか一項に記載の電気光学装置と、該電気光学装置を制御する
制御手段を備えたことを特徴とする電子機器。
【発明の詳細な説明】
【技術分野】
【０００１】
本発明は電気光学装置及び電子機器に係り、特に、複数の着色層を含むカラーフィルタ
を有し、このカラーフィルタによって実現されるカラーの反射表示と透過表示の双方を可
能にした電気光学装置の構造に関する。
【背景技術】
【０００２】
一般に、液晶表示装置その他の各種の電気光学装置では、カラー表示を可能とするため
に、カラーフィルタを形成してある。このカラーフィルタは、例えば、画素毎に異なる複
数色、例えば、赤、緑、青の着色層のいずれか一つを配置し、これらの複数色の着色層を
所定のパターンで配列させてなるものである。このような着色層は、例えば、着色材（顔
料や染料など）を含む感光性樹脂を用いたフォトリソグラフィ法で形成される。
【０００３】
一方、屋内や車内などの比較的暗い環境では、電気光学装置の背後にバックライトを配
置し、このバックライトの光によって視認可能となる透過表示を実現し、屋外などの明る
い場所ではバックライトを消灯して外光によって視認可能となる反射表示を実現するタイ
プの表示装置が知られている。このタイプの装置では、各画素内に、光を透過する光透過
領域と、光を反射する光反射領域とをそれぞれ設け、光透過領域を用いて上記透過表示を
実現し、光反射領域を用いて上記反射表示を実現している。
【０００４】
この場合、透過表示と反射表示の双方でカラー表示を可能とするには、光透過領域と光
反射領域の双方に上記着色層を形成する必要があるが、光透過領域ではバックライトの光
が着色層を一度だけ通過するのに対して、光反射領域では外光が着色層を往復で２回通過
するので、透過表示では明るい表示が可能であるが彩度を高めにくく、反射表示では彩度
を高めやすいが表示の明るさが犠牲になるという問題点がある。そこで、通常、光透過領
域の着色層を光反射領域の着色層よりも高い彩度を呈するものとする必要がある。
【０００５】
上記の光反射表示と光透過領域の着色層を異なる彩度を有するものとするには、着色層
に含まれる着色材の量を変える必要があり、そのため、着色層の種類が増大し、製造プロ
セスが複雑になるという問題がある。そこで、原色系の赤、緑、青の３色を形成するため
に、補色系のシアン、マゼンタ、イエローの３色の着色層のうちの２色を積層させてなる
構造を光透過領域に配置する一方、左記２色を光反射領域にそれぞれ単層で配置する構成
の液晶表示装置用カラーフィルタを用いることにより、透過表示の彩度を確保しつつ、反
射表示の明るさを得ることができることが知られている（例えば、以下の特許文献１参照
）。
【０００６】
【特許文献１】特開２００２−２５８０２９号公報
【発明の開示】
【発明が解決しようとする課題】
【０００７】
しかしながら、前述の反射表示と透過表示の双方を可能とした電気光学装置では、光反
射領域を設けることで透過表示の実質的な開口率が低くなるとともに、光透過領域を設け
ることで反射表示の実質的な開口率も低下するため、表示の明るさを確保するとともに両
表示の視認性のバランスを実現することが難しいという問題点がある。
【０００８】
特に、反射表示の輝度やコントラストは本来的に透過表示の輝度やコントラストよりも
大幅に低いことから、明るさを優先するために光反射領域の面積をある程度確保する必要
がある反面、透過表示には高い表示品位（コントラストや色再現性等）が要求されること
から、透過表示の表示品位を高めるためには、面積が制限された光透過領域内においてカ
ラーフィルタの品位を向上させる必要がある。しかしながら、高品位の透過表示を構成す
るために光反射領域と光透過領域の着色層を別々の材料で形成すると、カラーフィルタの
製造工程数が増大し、製造コストが高くなるという問題点がある。
【０００９】
そこで、本発明は上記問題点を解決するものであり、その課題は、透過表示と反射表示
のカラー表示を実現するためのカラー要素を異ならしめることにより、両表示の表示品位
及びそのバランスを容易に確保することができるカラーフィルタ構造及びこれを備えた電
気光学装置を実現することにある。
【課題を解決するための手段】
【００１０】
斯かる実情に鑑み、本発明の電気光学装置は、光透過領域及び光反射領域を有した複数
のサブ画素を備え、前記複数のサブ画素のそれぞれに対応して着色層が配置され、前記着
色層は三色の原色系のフィルタ色と前記三色の原色系以外の補色系のフィルタ色によって
構成されてなり、前記光透過領域によって透過表示を行い、前記光反射領域によって反射
表示を行うとともに、反射表示と透過表示のいずれの表示においてもカラー表示を行う電
気光学装置であって、前記複数のサブ画素のそれぞれにおいて、前記三色の原色系のフィ
ルタ色及び前記補色系のフィルタ色のいずれかの前記着色層が少なくとも前記光透過領域
に配置されてなり、前記補色系のフィルタ色の前記着色層が配置されたサブ画素の前記光
反射領域には前記着色層が設けられていないことを特徴とする。
【００１１】
この発明によれば、光透過領域に配置された原色系三色及び補色系のフィルタ色によっ
て透過表示が実現されることにより透過表示の色再現可能範囲が広がることにより、透過
表示のカラー表示の色再現性の向上を図ることができるとともに、原色系三色のフィルタ
色によって充分な反射表示の色再現性を確保しつつ、補色系のフィルタ色に対応するサブ
画素における着色層が配置されていない光反射領域によって反射表示の明るさを向上でき
る。すなわち、透過表示の色再現性の向上と反射表示の明るさの向上とを同時に図ること
ができ、全体として高品位の電気光学装置を容易に構成できるようになる。
【００１２】
本発明において、前記複数のサブ画素のそれぞれにおいて、前記三色の原色系のフィル
タ色の前記着色層が配置されたサブ画素の前記光透過領域の面積と、前記補色系のフィル
タ色の前記着色層が配置されたサブ画素の前記光透過領域の面積が同一であることが好ま
しい。これによれば、少なくとも四種のサブ画素の光透過領域が相互に同じ面積を備えて
いることにより、透過表示において、四色以上の着色層によるカラー表示の制御を容易に
行うことができる。
【００１３】
本発明において、前記複数のサブ画素のそれぞれにおいて、前記三色の原色系のフィル
タ色の前記着色層が配置されたサブ画素の前記光反射領域の面積と、前記補色系のフィル
タ色の前記着色層が配置されたサブ画素の前記着色層が設けられていない前記光反射領域
の面積が同一であることが好ましい。これによれば、少なくとも四種のサブ画素の光反射
領域が相互に同じ面積を備えていることにより、反射表示において、カラー表示の制御を
容易に行うことができる。特に、着色層が配置されていない光反射領域の制御によって反
射表示の明るさを調整することが可能になる。
【００１４】
本発明において、前記複数のサブ画素のそれぞれにおいて、前記三色の原色系のフィル
タ色の前記着色層が配置されたサブ画素の面積と、前記補色系のフィルタ色の前記着色層
が配置されたサブ画素の面積が同一であることが好ましい。これによれば、表示単位を構
成する四種以上のサブ画素が全て同一面積となっているため、特殊な画素配列を用いる必
要がなく、従来の一般的な配列構造をそのまま用いることができる。
【００１５】
本発明において、前記三色の原色系のフィルタ色の前記着色層が配置されたサブ画素に
は、当該サブ画素の前記光反射領域に前記着色層が形成されていない部分が設けられた少
なくとも一つのサブ画素が含まれていることが好ましい。これによれば、着色層の配置さ
れた三種の光反射領域のうちの少なくとも一つに着色層が形成されていない部分が設けら
れることにより、反射表示の明るさをさらに確保しやすくなるとともに、着色層の彩度を
低下させなくても、或いは、光反射領域の面積を大きくしなくても、反射表示の明るさを
充分に確保できるので、その分、着色層の彩度の向上や光透過領域の面積の増大を図るこ
とができるため、透過表示の表示品位を高めることができる。
【００１６】
本発明において、前記補色系のフィルタ色はシアンであることが好ましい。これによれ
ば、透過表示の色再現可能範囲をより広く確保することができる。
【００１７】
本発明の別の電気光学装置は、光透過領域及び光反射領域を有し、前記光透過領域及び
前記光反射領域のそれぞれに三色のうちの一色の着色層が配置された三つの前記三色に対
応したサブ画素と、前記三色以外の一色の着色層が光透過領域に配置された少なくとも一
つのサブ画素とを備え、前記光透過領域によって透過表示を行い、前記光反射領域によっ
て反射表示を行う電気光学装置であって、前記少なくとも一つのサブ画素は、前記着色層
が配置されていない光反射領域を有することを特徴とする。
【００１８】
この発明によれば、三種のサブ画素においては光透過領域と光反射領域のそれぞれに着
色層が形成されていることにより、反射表示を三色の着色層でカラー化することができる
一方、少なくとも一種のサブ画素においては上記三色以外の少なくとも一色の着色層が配
置された光透過領域が設けられることにより、透過表示を四色以上で表現することができ
ることから、高い色再現性を得ることができるため、透過表示の表示品位の向上と、透過
表示と反射表示のバランスの向上を図ることができる。特に、透過表示を四色以上で表現
することにより、個々の色の彩度を高めなくても広範囲の色相を再現できるようになるた
め、反射表示を構成する三色の着色層を反射表示の明るさを確保する上でより好適な彩度
に設定することが可能になる。また、反射表示も四種以上のサブ画素の光反射領域で構成
でき、そのうちの少なくとも一種のサブ画素の光反射領域には着色層が配置されていない
ため、着色層の彩度を低減させなくても、反射表示の明るさを充分に確保できる。したが
って、基本となる三色の着色層を光透過領域と光反射領域とで共通の着色材料で構成して
も、透過表示の色再現性と反射表示の明るさのバランスを確保することができる。
【００１９】
本発明において、前記三つの前記三色に対応したサブ画素及び前記少なくとも一つのサ
ブ画素のそれぞれの前記光透過領域が相互に同一面積であることが好ましい。これによれ
ば、少なくとも四種のサブ画素の光透過領域が相互に同じ面積を備えていることにより、
透過表示において、四色以上の着色層によるカラー表示の制御を容易に行うことができる
。
【００２０】
本発明において、前記三つの前記三色に対応したサブ画素及び前記少なくとも一つのサ
ブ画素のそれぞれの前記光反射領域が相互に同一面積であることが好ましい。これによれ
ば、少なくとも四種のサブ画素の光反射領域が相互に同じ面積を備えていることにより、
反射表示において、カラー表示の制御を容易に行うことができる。特に、着色層が配置さ
れていない光反射領域の制御によって反射表示の明るさを調整することが可能になる。
【００２１】
本発明において、前記三つの前記三色に対応した画素と前記少なくとも一つのサブ画素
は同一面積であることが好ましい。これによれば、表示単位を構成する四種以上のサブ画
素が全て同一面積となっているため、特殊な画素配列を用いる必要がなく、従来の一般的
な配列構造をそのまま用いることができる。
【００２２】
本発明において、前記三つの前記三色に対応したサブ画素の前記光反射領域の少なくと
も一つには、前記着色層が形成されていない部分が設けられていることが好ましい。これ
によれば、着色層の配置された三種の光反射領域のうちの少なくとも一つに着色層が形成
されていない部分が設けられることにより、反射表示の明るさをさらに確保しやすくなる
とともに、着色層の彩度を低下させなくても、或いは、光反射領域の面積を大きくしなく
ても、反射表示の明るさを充分に確保できるので、その分、着色層の彩度の向上や光透過
領域の面積の増大を図ることができるため、透過表示の表示品位を高めることができる。
【００２３】
本発明において、前記三色は原色系のフィルタ色であり、前記三色以外の色は補色系の
フィルタ色であることが好ましい。原色系のフィルタ色に補色系のフィルタ色の少なくと
も一色を加えることで、カラー表示の色再現性をさらに高めることができる。この場合に
、色再現範囲を広く確保する上で、前記三色以外の色はシアンであることが最も効果的で
ある。
【００２４】
本発明の別の電気光学装置は、光透過領域及び光反射領域を有した複数のサブ画素を備
え、前記複数のサブ画素のそれぞれに対応して着色領域が配置され、前記着色領域は、波
長に応じて色相が変化する可視光領域のうち、青系の色相の第１着色領域、赤系の色相の
第２着色領域、青から黄までの色相の中で選択された異なる２種の色相を有する第３着色
領域および第４着色領域によって構成されてなり、前記光透過領域によって透過表示を行
い、前記光反射領域によって反射表示を行うとともに、反射表示と透過表示のいずれの表
示においてもカラー表示を行う電気光学装置であって、前記複数のサブ画素のそれぞれに
おいて、前記第１着色領域乃至前記第４着色領域のいずれかが少なくとも前記光透過領域
に配置されてなり、前記第３着色領域または前記第４着色領域のうちの一方が配置された
サブ画素の前記光反射領域には前記着色領域が設けられていないことを特徴とする。ここ
で、前記第３着色領域は青から緑の色相の着色領域であり、前記第４着色領域は緑から橙
の色相の着色領域であることが好ましい。
【００２５】
この発明によれば、光透過領域に配置された四色の着色領域によって透過表示が実現さ
れることにより透過表示の色再現可能範囲が広がることにより、透過表示のカラー表示の
色再現性の向上を図ることができるとともに、前記四色のうち三色のフィルタ色によって
充分な反射表示の色再現性を確保しつつ、残る一色のフィルタ色に対応するサブ画素にお
ける着色層が配置されていない光反射領域によって反射表示の明るさを向上できる。すな
わち、透過表示の色再現性の向上と反射表示の明るさの向上とを同時に図ることができ、
全体として高品位の電気光学装置を容易に構成できるようになる。
【００２６】
本発明の別の電気光学装置は、光透過領域及び光反射領域を有した複数のサブ画素を備
え、前記複数のサブ画素のそれぞれに対応して着色領域が配置され、前記着色領域は、当
該着色領域を透過した光の波長のピークが、４１５−５００ｎｍにある第１着色領域、６
００ｎｍ以上にある第２着色領域、４８５−５３５ｎｍにある第３着色領域、５００−５
９０ｎｍにある第４着色領域によって構成されてなり、前記光透過領域によって透過表示
を行い、前記光反射領域によって反射表示を行うとともに、反射表示と透過表示のいずれ
の表示においてもカラー表示を行う電気光学装置であって、前記複数のサブ画素のそれぞ
れにおいて、前記第１着色領域乃至前記第４着色領域のいずれかが少なくとも前記光透過
領域に配置されてなり、前記第３着色領域または前記第４着色領域のうちの一方が配置さ
れたサブ画素の前記光反射領域には前記着色領域が設けられていないことを特徴とする。
ここで、前記第３着色領域は、当該着色領域を透過した光の波長のピークが４９５−５２
０ｎｍにある着色領域であり、前記第４着色領域は、当該着色領域を透過した光の波長の
ピークが５１０−５８５ｎｍにある着色領域であることが好ましい。
【００２７】
この発明によれば、光透過領域に配置された四色の着色領域によって透過表示が実現さ
れることにより透過表示の色再現可能範囲が広がることにより、透過表示のカラー表示の
色再現性の向上を図ることができるとともに、前記四色のうち三色のフィルタ色によって
充分な反射表示の色再現性を確保しつつ、残る一色のフィルタ色に対応するサブ画素にお
ける着色層が配置されていない光反射領域によって反射表示の明るさを向上できる。すな
わち、透過表示の色再現性の向上と反射表示の明るさの向上とを同時に図ることができ、
全体として高品位の電気光学装置を容易に構成できるようになる。
【００２８】
本発明において、前記複数のサブ画素のそれぞれにおいて、前記第１着色領域、前記第
２着色領域、前記第３着色領域または前記第４着色領域のうちの一方が配置されたサブ画
素の前記光透過領域の面積と、前記第３着色領域または前記第４着色領域のうちの他方が
配置されたサブ画素の前記光透過領域の面積が同一であることが好ましい。これによれば
、少なくとも四種のサブ画素の光透過領域が相互に同じ面積を備えていることにより、透
過表示において、四色以上の着色領域によるカラー表示の制御を容易に行うことができる
。
【００２９】
本発明において、前記複数のサブ画素のそれぞれにおいて、前記第１着色領域、前記第
２着色領域、前記第３着色領域または前記第４着色領域のうちの一方が配置されたサブ画
素の前記光反射領域の面積と、前記第３着色領域または前記第４着色領域のうちの他方が
配置されたサブ画素の前記着色領域が設けられていない前記光反射領域の面積が同一であ
ることが好ましい。これによれば、少なくとも四種のサブ画素の光反射領域が相互に同じ
面積を備えていることにより、反射表示において、カラー表示の制御を容易に行うことが
できる。特に、着色層が配置されていない光反射領域の制御によって反射表示の明るさを
調整することが可能になる。
【００３０】
本発明において、前記複数のサブ画素のそれぞれにおいて、前記第１着色領域、前記第
２着色領域、前記第３着色領域または前記第４着色領域のうちの一方が配置されたサブ画
素の面積と、前記第３着色領域または前記第４着色領域のうちの他方が配置されたサブ画
素の面積が同一であることが好ましい。これによれば、表示単位を構成する四種以上のサ
ブ画素が全て同一面積となっているため、特殊な画素配列を用いる必要がなく、従来の一
般的な配列構造をそのまま用いることができる。
【００３１】
本発明において、前記第１着色領域、前記第２着色領域、前記第３着色領域または前記
第４着色領域のうちの一方が配置されたサブ画素には、当該サブ画素の前記光反射領域に
前記着色領域が形成されていない部分が設けられた少なくとも一つのサブ画素が含まれて
いることが好ましい。これによれば、着色領域の配置された三種の光反射領域のうちの少
なくとも一つに着色領域が形成されていない部分が設けられることにより、反射表示の明
るさをさらに確保しやすくなるとともに、着色領域の彩度を低下させなくても、或いは、
光反射領域の面積を大きくしなくても、反射表示の明るさを充分に確保できるので、その
分、着色領域の彩度の向上や光透過領域の面積の増大を図ることができるため、透過表示
の表示品位を高めることができる。
【００３２】
また、本発明の別の電気光学装置は、光透過領域及び光反射領域を有し、前記光透過領
域及び前記光反射領域のそれぞれに三色のうちの一色の着色領域が配置された三つの前記
三色に対応したサブ画素と、前記三色以外の一色の着色領域が光透過領域に配置された少
なくとも一つのサブ画素とを備え、前記光透過領域によって透過表示を行い、前記光反射
領域によって反射表示を行う電気光学装置であって、前記少なくとも一つのサブ画素は、
前記着色領域が配置されていない光反射領域を有することを特徴とする。
【００３３】
この発明によれば、三種のサブ画素においては光透過領域と光反射領域のそれぞれに着
色領域が形成されていることにより、反射表示を三色の着色領域でカラー化することがで
きる一方、少なくとも一種のサブ画素においては上記三色以外の少なくとも一色の着色領
域が配置された光透過領域が設けられることにより、透過表示を四色以上で表現すること
ができることから、高い色再現性を得ることができるため、透過表示の表示品位の向上と
、透過表示と反射表示のバランスの向上を図ることができる。特に、透過表示を四色以上
で表現することにより、個々の色の彩度を高めなくても広範囲の色相を再現できるように
なるため、反射表示を構成する三色の着色領域を反射表示の明るさを確保する上でより好
適な彩度に設定することが可能になる。また、反射表示も四種以上のサブ画素の光反射領
域で構成でき、そのうちの少なくとも一種のサブ画素の光反射領域には着色領域が配置さ
れていないため、着色領域の彩度を低減させなくても、反射表示の明るさを充分に確保で
きる。したがって、基本となる三色の着色領域を光透過領域と光反射領域とで共通の着色
材料で構成しても、透過表示の色再現性と反射表示の明るさのバランスを確保することが
できる。
【００３４】
本発明において、前記三つの前記三色に対応したサブ画素及び前記少なくとも一つのサ
ブ画素のそれぞれの前記光透過領域が相互に同一面積であることが好ましい。これによれ
ば、少なくとも四種のサブ画素の光透過領域が相互に同じ面積を備えていることにより、
透過表示において、四色以上の着色領域によるカラー表示の制御を容易に行うことができ
る。
【００３５】
本発明において、前記三つの前記三色に対応したサブ画素及び前記少なくとも一つのサ
ブ画素のそれぞれの前記光反射領域が相互に同一面積であることが好ましい。これによれ
ば、少なくとも四種のサブ画素の光反射領域が相互に同じ面積を備えていることにより、
反射表示において、カラー表示の制御を容易に行うことができる。特に、着色領域が配置
されていない光反射領域の制御によって反射表示の明るさを調整することが可能になる。
【００３６】
本発明において、前記三つの前記三色に対応した画素と前記少なくとも一つのサブ画素
は同一面積であることが好ましい。これによれば、表示単位を構成する四種以上のサブ画
素が全て同一面積となっているため、特殊な画素配列を用いる必要がなく、従来の一般的
な配列構造をそのまま用いることができる。
【００３７】
本発明において、前記三つの前記三色に対応したサブ画素の前記光反射領域の少なくと
も一つには、前記着色領域が形成されていない部分が設けられていることが好ましい。こ
れによれば、着色領域の配置された三種の光反射領域のうちの少なくとも一つに着色領域
が形成されていない部分が設けられることにより、反射表示の明るさをさらに確保しやす
くなるとともに、着色領域の彩度を低下させなくても、或いは、光反射領域の面積を大き
くしなくても、反射表示の明るさを充分に確保できるので、その分、着色領域の彩度の向
上や光透過領域の面積の増大を図ることができるため、透過表示の表示品位を高めること
ができる。
【００３８】
本発明において、前記三色に対応する着色領域は、波長に応じて色相が変化する可視光
領域のうち、青系の色相の着色領域、赤系の色相の着色領域、前記青から黄までの色相の
中で選択された２種の色相の着色領域のうちの一方であり、前記三色以外の色に対応する
着色領域は、前記青から黄までの色相の中で選択された２種の色相の着色領域のうちの他
方であることが好ましい。前記三色以外に新たな一色を追加することで、カラー表示の色
再現性をさらに高めることができる。ここで、色再現範囲を広く確保する上で、前記青か
ら黄までの色相の中で選択された２種の色相の着色領域は、青から緑の色相の着色領域お
よび緑から橙の色相の着色領域とすることが効果的である。
【００３９】
本発明において、前記三色に対応する着色領域は、当該着色領域を透過した光の波長の
ピークが、４１５−５００ｎｍにある第１着色領域と、６００ｎｍ以上にある第２着色領
域と、４８５−５３５ｎｍにある第３着色領域または５００−５９０ｎｍにある第４着色
領域のうちの一方であり、前記三色以外の色に対応する着色領域は、前記第３着色領域ま
たは前記第４着色領域のうちの他方であることが好ましい。前記三色以外に新たな一色を
追加することで、カラー表示の色再現性をさらに高めることができる。ここで、色再現範
囲を広く確保する上で、前記第３着色領域を、当該着色領域を透過した光の波長のピーク
が４９５−５２０ｎｍにある着色領域、前記第４着色領域を、当該着色領域を透過した光
の波長のピークが５１０−５８５ｎｍにある着色領域とすることが効果的である。
【００４０】
次に、本発明に係る電子機器は、上記のいずれかに記載の電気光学装置と、該電気光学
装置を制御する制御手段を備えたことを特徴とする。本発明の電気光学装置は、透過表示
と反射表示の双方が実現できることにより外部環境の変化に対して高い対応性を有するの
で、特に携帯型電子機器に搭載する場合に高い効果を発揮することができる。
【発明を実施するための最良の形態】
【００４１】
［第１実施形態］
次に、添付図面を参照して本発明の実施形態について詳細に説明する。図１は本発明に
係る電気光学装置の第１実施形態の画素配列の表示単位（ピクセル）の内部構造を示す拡
大透視平面図、図２は同電気光学装置における１画素の断面構造を示す拡大縦断面図であ
る。
【００４２】
本実施形態は、電気光学装置の一種である液晶装置で構成する例を示すものであり、図
２に示すように、図示しないシール材等を介して基体１１０と基体１２０を所定の間隔を
もって貼り合わせ、その間に液晶層１３０を配置したものである。
【００４３】
基体１１０は、ガラスやプラスチック等からなる透明な基板１１１を含み、この基板１
１１の内面上には、ポリシリコン層等で構成される半導体層１０２、この半導体層１０２
上に構成されたゲート絶縁膜１０３、及び、このゲート絶縁膜１０３を挟んで上記半導体
層１０２のチャネル領域に対向するゲート電極１０４を備えたＴＦＴ（スイッチング素子
）１１０Ｘが形成されている。このゲート電極１０４は図１に示す走査線１１３ｘと導電
接続されている。
【００４４】
これらの上には酸化シリコン等からなる層間絶縁膜１１２が形成され、この層間絶縁膜
１１２は、ＴＦＴ１１０Ｘを覆うとともに、フォトリソグラフィ法等によって表面に微細
な凹凸を有するように構成される。層間絶縁膜１１２上には、上記半導体層１０２のソー
ス領域に導電接続されたデータ線１１３ｙと、上記半導体層１０２のドレイン領域に導電
接続された接続電極１１４とが形成される。
【００４５】
これらの上にはさらに酸化シリコン等からなる層間絶縁膜１１５が形成され、この層間
絶縁膜１１５上にはアルミニウム等の金属その他の反射性導電体で構成される反射層１１
６が形成される。この反射層１１６は上記接続電極１１４に導電接続されている。この反
射層１１６は、上記層間絶縁膜１１２の表面凹凸形状を反映した微細な凹凸構造で構成さ
れる散乱性反射面を備えている。上記反射層１１６は、一つのサブ画素内に設けられた光
反射領域Ａｒに対応してサブ画素内で島状に設けられている。サブ画素内には上記光反射
領域Ａｒ以外に光透過領域Ａｔが設けられ、この光透過領域Ａｔには反射層１１６は形成
されていない。
【００４６】
上記反射層１１６上にはＩＴＯ（インジウムスズ酸化物）等の透明導電体からなる電極
１１７が形成され、この電極１１７はサブ画素内の表示範囲全体に亘って、すなわち、上
記光透過領域Ａｔ及び光反射領域Ａｒの双方を全てカバーする範囲に亘って形成されてい
る。電極１１７は反射層１１６を介して上記ＴＦＴ１１０Ｘのドレイン領域に導電接続さ
れる。また、本実施の構成では、反射層１１６が反射電極として機能しているので、透明
電極とされる電極１１７が反射層１１６（光反射領域）の全体を覆う領域に形成されてい
なくても良く、透明電極とされる電極１１７の一部が反射層１１６と積層されて電気的な
接続が図られた構成とされていてもよい。
【００４７】
上記構造上にはポリイミド樹脂等からなる配向膜１１８が形成される。この配向膜１１
８は液晶層１３０内の液晶分子に初期配向を付与するためのもので、例えば、未硬化の樹
脂を塗布し、焼成等によって硬化させた後、ラビング処理などを施すことによって形成さ
れる。
【００４８】
一方、基体１２０はガラスやプラスチック等からなる透明な基板１２１を含み、この基
板１２１の内面上にカラーフィルタ１２２が形成されている。カラーフィルタ１２２は、
光透過領域Ａｔに形成される着色層１２２ａｔと、光反射領域Ａｒに形成される着色層１
２２ａｒとを有する。これらの着色層１２２ａｔ，１２２ａｒは、後述する原色系のフィ
ルタ色である、赤、緑、青のいずれか一色で構成される。同一サブ画素内の着色層１２２
ａｔと着色層１２２ａｒは基本的に同色で構成されるが、相互に異なる色相（色濃度、色
度、彩度）や光透過率を有するものであってもよい。ただし、本実施形態では、同一サブ
画素内の着色層１２２ａｔと１２２ａｒは同じ着色材料で同時に形成され、同一の色相及
び光透過率を備えた着色層となっている。
【００４９】
カラーフィルタ１２２は、サブ画素間や画素間や光透過領域Ａｔと光反射領域Ａｒの間
に黒色樹脂等からなる遮光層１２２ｂｍを備えている。遮光層１２２ｂｍは、電極１１７
，１２３の端縁部で生ずる斜め電界や基体１１０や１２０の表面段差等により液晶分子が
所望の配向状態にならない領域を遮光することにより、光抜け等に起因するコントラスト
の低下を防止するためのものである。
【００５０】
さらに、上記着色層１２２ａｔ，１２２ａｒ及び遮光層１２２ｂｍの上には、アクリル
樹脂等からなる保護膜１２２ｏｃが形成される。この保護膜１２２ｏｃは、カラーフィル
タ１２２の表面を平坦化するとともに、着色層１２２ａｔ，１２２ａｒに不純物が侵入し
て劣化することを防止するためのものである。
【００５１】
カラーフィルタ１２２上には、ＩＴＯ等の透明導電体からなる電極１２３が形成され、
この電極１２３の上には上記と同様の配向膜１２４が形成される。本実施形態の場合、３
端子スイッチング素子（非線形素子）であるＴＦＴ１１０Ｘを用いているため、上記電極
１１７はサブ画素毎に独立した画素電極であり、電極１２３は複数のサブ画素（及び複数
の画素）に亘る（好ましくは装置全体に亘る）共通電極である。ただし、ＴＦＴ１１０Ｘ
の代わりに２端子スイッチング素子（非線形素子）を用いる場合には、対向側の電極１２
３は、データ線１１３と交差する方向に伸び、データ線１１３の延長方向に複数ストライ
プ状に配列された帯状電極として構成される。
【００５２】
液晶層１３０はネマチック液晶等を用いたＴＮモードやＳＴＮモードの液晶層であり、
基体１１０及び基体１２０の外側に配置された偏光板１４１，１４２と協働してサブ画素
毎に光透過率を制御することができるように構成される。本実施形態の場合、光透過領域
Ａｔにおける液晶層１３０の厚さは、光反射領域Ａｒにおける液晶層１３０の厚さより大
きく（例えば２倍程度に）設定され、これにより、光透過領域Ａｔを用いた透過表示にお
ける液晶層１３０の光変調度と、光反射領域Ａｒを用いた反射表示における液晶層１３０
の光変調度との間に大きな差異が生じないように配慮されている。
【００５３】
なお、本実施形態では層間絶縁膜１１２，１１５の有無によって光透過領域Ａｔにおけ
る液晶層１３０の厚さと、光反射領域Ａｒにおける液晶層１３０の厚さとの差を確保して
いるが、例えば、カラーフィルタ１２２上に絶縁膜を形成し、この絶縁膜の有無によって
液晶層１３０の光透過領域Ａｔと光反射領域Ａｒの厚さの差を確保してもよい。
【００５４】
本実施形態において、図１に示す画素Ｐｘは、表示画像の最小単位を構成する基本単位
であり、矩形の平面形状を有し、四種のサブ画素Ｄｘｒ，Ｄｘｇ，Ｄｘｃ，Ｄｘｂによっ
て構成されている。本明細書におけるサブ画素とは、相互に独立に光透過率を制御可能な
最小制御単位であり、このサブ画素が複数集まって上記画素Ｐｘを構成する。したがって
、画素Ｐｘを構成するサブ画素数は一般的には４に限定されるものではない。ただし、本
実施形態の場合には画素Ｐｘを構成するサブ画素数は４以上の任意の数である。また、本
発明における「着色領域」は、着色層１２２ａｒ，１２２ａｔが設けられた各領域であっ
て、各サブ画素Ｄｘｒ，Ｄｘｇ，Ｄｘｃ，Ｄｘｂに対応するものであり、４色の着色領域
で１つの画素Ｐｘを構成する。
【００５５】
上記の図２に示した画素構造は、上記の四種のサブ画素のうち、三種のサブ画素Ｄｘｒ
，Ｄｘｇ，Ｄｘｂの構造を示しており、三色の原色系のフィルタ色Ｒ（赤）、Ｇ（緑）、
Ｂ（青）の着色層に対応している。これらの三種のサブ画素の構造には、上述のように光
透過領域Ａｔと光反射領域Ａｒが設けられ、三種の各サブ画素の領域Ａｔ，Ａｒに、Ｒ（
赤）、Ｇ（緑）、Ｂ（青）の着色層１２２ａｔ，１２２ａｒがそれぞれ配置されている点
で共通する。また、これらの三種のサブ画素Ｄｘｒ，Ｄｘｇ，Ｄｘｂでは、光透過領域Ａ
ｔと光反射領域Ａｒの面積比がほぼ同一となっている。
【００５６】
上記三種のサブ画素Ｄｘｒ，Ｄｘｇ，Ｄｘｂでは、光透過領域Ａｔにおいては全面的に
着色層１２２ａｔが形成されている。つまり、三種の各サブ画素の光透過領域Ａｔはいず
れも原色系Ｒ（赤）、Ｇ（緑）、Ｂ（青）の着色層で覆われている。一方、光反射領域Ａ
ｒにおいては、図示例の場合、当該領域の一部にのみ選択的に着色層１２２ａｒが形成さ
れている。つまり、光反射領域Ａｒには反射層１１６で着色されずに光が反射される非着
色領域が設けられている。また、光反射領域Ａｒ内の着色層１２２ａｒの占有面積比はサ
ブ画素Ｄｘｒ，Ｄｘｇ，Ｄｘｂ毎に異なった値を持つように構成されている。ただし、こ
れらの三種のサブ画素の光反射領域Ａｒの少なくとも一つにおいて着色層１２２ａｒを全
面的に形成しても構わない。
【００５７】
一方、サブ画素Ｄｘｃにも光透過領域Ａｔと光反射領域Ａｒが設けられている。図示例
の場合、サブ画素Ｄｘｃの光透過領域Ａｔと光反射領域Ａｒの面積比は、上記の三種のサ
ブ画素Ｄｘｒ，Ｄｘｇ，Ｄｘｂと同じである。ただし、当該面積比を他の三種のサブ画素
とは異なるように設定してもよい。
【００５８】
本実施形態のサブ画素Ｄｘｃにおいて、他の三種のサブ画素と同様に光透過領域Ａｔに
は着色層１２２ａｔが配置されている。この着色層１２２ａｔは、補色系のフィルタ色で
あるシアンである。しかし、サブ画素Ｄｘｃでは、上記三種のサブ画素Ｄｘｒ，Ｄｘｇ，
Ｄｘｂとは異なり、光反射領域Ａｒには着色層が配置されていない。すなわち、サブ画素
Ｄｘｃの光反射領域Ａｒでは、反射層１１６全体が着色層に覆われず、露出された状態と
なっている。
【００５９】
図５は、本実施形態に用いるカラーフィルタ１２２の各着色層１２２ａｔ，１２２ａｒ
の着色材料の分光スペクトルである。図中、赤の着色層の光透過特性をＲ、緑の着色層の
光透過特性をＧ、青の着色層の光透過特性をＢ、シアンの着色層の光透過特性をＣで示し
てある。
【００６０】
また、図６は、本実施形態に用いるカラーフィルタ１２２によって実現される色再現可
能範囲を示すｘｙ色度図である。図中において、Ｒ、Ｇ、Ｂ、Ｃは図５に示す各色の着色
層の色相をそれぞれ示している。また、図中のＲ´、Ｇ´、Ｂ´は、光反射領域Ａｒに配
置される赤、緑、青の着色層として好適な色相を示し、図中のＧ″は、光透過領域Ａｔに
配置される緑の着色層として好適な色相を示してある。さらに、上記の各点を取り囲む曲
線は人間が知覚可能な色相の範囲を示す。
【００６１】
この色度図をみると、Ｒ´、Ｇ´、Ｂ´を頂点とする色三角形の面積に対して、本実施
形態のＲ，Ｇ，Ｂ，Ｃで囲まれる色四角形の面積は大きいことから、本実施形態の透過表
示の色再現範囲は反射表示の色再現範囲よりも広くなっていることがわかる。また、従来
の三原色のフィルタ構成で透過表示を行う場合には、Ｒ´，Ｇ″，Ｂ´の色三角形が示す
ようにある程度広い色再現範囲を有するが、本実施形態のＲ，Ｇ，Ｂ，Ｃによる色再現範
囲はこれと同等或いはそれ以上の広い範囲とすることが可能であることがわかる。
【００６２】
本実施形態では、光透過領域Ａｔに配置されたＲ，Ｇ，Ｂ，Ｃの四色の着色層で透過表
示において広い色再現範囲を実現できるだけでなく、光反射領域Ａｒに配置されたＲ，Ｇ
，Ｂの三色の着色層と、着色層の配置されない部分とで明るい反射表示をも実現すること
ができる。すなわち、基本的なＲ，Ｇ，Ｂの三色の彩度を低下させて明るい反射表示を実
現するために適した構成にした場合でも、透過表示では上記三色にＣを加えた四色でカラ
ーを表現できるため、透過表示の色再現性の低下を抑制できる。
【００６３】
また、本実施形態では、着色層の配置されていない光反射領域が独立に存在することで
、反射表示の明るさを増大することができるとともに、反射表示の明るさを色相とは独立
して制御することが可能になっている。したがって、本実施形態の場合には、反射表示の
明るさを確保するために着色層の彩度を低下させる必要がそれほどないから、透過表示と
反射表示のバランスを確保することがさらに容易になる。
【００６４】
さらに、この場合、光透過領域Ａｔと光反射領域Ａｒに配置する着色層１２２ａｔと１
２２ａｒの彩度を変える必要がないので、カラーフィルタの製造工数を低減できることか
ら、製造工程を複雑化させる必要がなく、製造コストの上昇も抑制できるという利点があ
る。
【００６５】
サブ画素Ｄｘｃの着色層１２２ａｔは、上記シアン以外の他の色の着色材を用いて形成
してもよい。ただし、赤、緑、青の基本的な三色に加えることにより、色再現範囲を拡大
する色相を有していることが好ましい。例えば、他の三色とは色度図上において充分に離
間した色相を有し、かつ、ある程度高い彩度を有するもの、すなわち、色度図上において
他の三色によって形成される色三角形の外側に位置する色相を有するものであることが好
ましい。このようなフィルタ色としては補色系の色、例えば、シアン、マゼンタやイエロ
ー等が最も望ましい。
【００６６】
また、本実施形態では画素Ｐｘ内に三種のサブ画素以外に一つのサブ画素Ｄｘｃのみを
設けているが、三種のサブ画素以外に複数の追加のサブ画素を設けてもよい。例えば、画
素Ｐｘ内に、シアンの着色層を有するサブ画素Ｄｘｃと、マゼンタの着色層を有するサブ
画素Ｄｘｍ（図示せず）の二種類のサブ画素を設け、これらのサブ画素をそれぞれ上記実
施形態のサブ画素Ｄｘｃと同様に配列した構成としてもよい。これによって一つの画素Ｐ
ｘが五種のサブ画素によって構成されることとなる。
【００６７】
なお、本実施形態においては、光透過領域Ａｔに配置される着色層１２２ａｔと、光反
射領域Ａｒに配置される着色層１２２ａｒとを同一材料で同時に形成することで製造コス
トの上昇を抑制しつつ、透過表示の色再現性をより高め、かつ、反射表示の明るさをより
充分に確保するために、光透過領域Ａｔには全面的に覆って比較的彩度の高い着色層を配
置する一方、光反射領域Ａｒには同じ着色層を部分的（選択的）に配置している。すなわ
ち、光反射領域Ａｒでは着色層が配置されずに反射層１１６が露出する領域を設けてある
。このようにすると、着色層自体の彩度を大きく低下させなくても、光反射領域Ａｒ全体
では着色層１２２ａｒの彩度を低下させた場合と同等の効果が得られる。ただし、これら
の三種のサブ画素のうちの少なくとも一種のサブ画素において光反射領域Ａｒに全面的に
着色層１２２ａｒを形成してもよい。
【００６８】
また、本実施形態では、上述のように、透過表示と反射表示に共通のフィルタ色として
原色系の赤、緑、青の三色を用いるとともに、透過表示のみに設定されるフィルタ色とし
て補色系のシアンを用い、これによって、特に、緑色系の色相領域の色再現性を広げるこ
とが可能になっているが、この場合、緑とシアンのスペクトル色の差（色度図上の距離）
を大きく採ることで、色再現性をさらに高めることができる。例えば、図６では、緑のフ
ィルタ色の色相点Ｇを従来のフィルタ色Ｇ´、Ｇ″よりもシアンの色相点Ｃから離間した
色相とし、これによって、色三角形の面積が増大し、色再現範囲をさらに増加させること
ができるように設定されている。
【００６９】
以上は、サブ画素Ｄｘｒ，Ｄｘｇ，Ｄｘｂの着色領域がそれぞれＲ（赤）、Ｇ（緑）、
Ｂ（青）に対応し、サブ画素Ｄｘｃの着色領域がＣ（シアン）に対応するとした例である
が、本発明はこのような構成に限定する趣旨ではなく、以下のような構成としてもよい。
【００７０】
すなわち、４色の着色領域は、波長に応じて色相が変化する可視光領域（３８０−７８
０ｎｍ）のうち、青系の色相の着色領域、赤系の色相の着色領域と、青から黄までの色相
の中で選択された２種の色相の着色領域からなる、とすることができる。ここで系と用い
ているが、例えば青系であれば純粋の青の色相に限定されるものでなく、青紫や青緑等を
含むものである。赤系の色相であれば、赤に限定されるものでなく橙を含む。また、これ
ら着色領域は単一の着色層で構成されても良いし、複数の異なる色相の着色層を重ねて構
成されても良い。
【００７１】
また、これら着色領域は色相で述べているが、当該色相は、彩度、明度を適宜変更し、
色を設定し得るものである。具体的な色相の範囲は、青系の色相の着色領域は、青紫から
青緑であり、より好ましくは藍から青である。赤系の色相の着色領域は、橙から赤である
。青から黄までの色相で選択される一方の着色領域は、青から緑であり、より好ましくは
青緑から緑である。青から黄までの色相で選択される他方の着色領域は、緑から橙であり
、より好ましくは緑から黄である。もしくは緑から黄緑である。
【００７２】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。これにより、従来のＲＧＢの着色領域よりも広範囲の色再
現性を実現することができる。
【００７３】
これを上記実施形態にあてはめると、例えば、サブ画素Ｄｘｒに赤系の色相の着色領域
、サブ画素Ｄｘｂに青系の色相の着色領域、サブ画素Ｄｘｇに緑から橙の色相の着色領域
、サブ画素Ｄｘｃに青から緑の色相の着色領域をそれぞれ配置する構成とすることができ
る。サブ画素Ｄｘｇとサブ画素Ｄｘｃの色相は上記の逆とすることも可能ではあるが、光
反射領域Ａｒによる表示の色バランスや、光透過領域Ａｔによる表示の色再現性の範囲を
考慮すれば、サブ画素Ｄｘｃの色相を青から緑とすることが好ましい。
【００７４】
また、上記では広範囲の色再現性を色相で述べたが、以下に、着色領域を透過する波長
で表現する。青系の着色領域は、当該着色領域を透過した光の波長のピークが４１５−５
００ｎｍにある着色領域、好ましくは、４３５−４８５ｎｍにある着色領域である。赤系
の着色領域は、当該着色領域を透過した光の波長のピークが６００ｎｍ以上にある着色領
域で、好ましくは、６０５ｎｍ以上にある着色領域である。青から黄までの色相で選択さ
れる一方の着色領域は、当該着色領域を透過した光の波長のピークが４８５−５３５ｎｍ
にある着色領域で、好ましくは、４９５−５２０ｎｍにある着色領域である。青から黄ま
での色相で選択される他方の着色領域は、当該着色領域を透過した光の波長のピークが５
００−５９０ｎｍにある着色領域、好ましくは５１０−５８５ｎｍにある着色領域、もし
くは５３０−５６５ｎｍにある着色領域である。
【００７５】
次に、ｘｙ色度図で表現する。青系の着色領域は、ｘ≦0.151、ｙ≦0.056にある着色領
域であり、好ましくは、0.134≦ｘ≦0.151、0.034≦ｙ≦0.056にある着色領域である。赤
系の着色領域は、0.643≦ｘ、ｙ≦0.333にある着色領域であり、好ましくは、0.643≦ｘ
≦0.690、0.299≦ｙ≦0.333にある着色領域である。青から黄までの色相で選択される一
方の着色領域は、ｘ≦0.164、0.453≦ｙにある着色領域であり、好ましくは、0.098≦ｘ
≦0.164、0.453≦ｙ≦0.759にある着色領域である。青から黄までの色相で選択される他
方の着色領域は、0.257≦ｘ、0.606≦ｙにある着色領域であり、好ましくは、0.257≦ｘ
≦0.357、0.606≦ｙ≦0.670にある着色領域である。
【００７６】
これら４色の着色領域は、サブ画素に透過領域と反射領域を備えた場合、透過領域及び
反射領域も上述した範囲で適用することができるものである。
【００７７】
バックライトとして、ＲＧＢの光源としてＬＥＤ、蛍光管、有機ＥＬを用いても良い。
または白色光源を用いても良い。なお、白色光源は青の発光体とＹＡＧ蛍光体により生成
される白色光源でもよい。ＲＧＢ光源としては、以下のものが好ましい。Ｂは波長のピー
クが４３５ｎｍ−４８５ｎｍにあるもの、Ｇは波長のピークが５２０ｎｍ−５４５ｎｍに
あるもの、Ｒは波長のピークが６１０ｎｍ−６５０ｎｍにあるもの、そして、ＲＧＢ光源
の波長によって、上記着色領域を適切に選定すればより広範囲の色再現性を得ることがで
きる。また、波長が例えば、４５０ｎｍと５６５ｎｍにピークがくるような、複数のピー
クを持つ光源を用いても良い。
【００７８】
上記４色の着色領域の構成の例として、以下のものが挙げられる。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルド、黄の着色領域。
（５）色相が、赤、青、深緑、黄緑の着色領域。
（６）色相が、赤、青緑、深緑、黄緑の着色領域。
【００７９】
［第２実施形態］
次に、図３を参照して本発明に係る別の実施形態について説明する。図３は第２実施形
態のピクセル構造を示す概略平面図である。この実施形態では、先に説明した第１実施形
態と同様の部分には同一符号を付し、それらの説明は省略する。
【００８０】
本実施形態においては、一つの画素Ｐｘの中に、上記と同様のサブ画素Ｄｘｒ，Ｄｘｃ
´，Ｄｘｂが設けられ、これら三種のサブ画素のそれぞれには第１実施形態と同様に光透
過領域Ａｔと光反射領域Ａｒの双方が設けられ、各領域には、それぞれ、Ｒ（赤）、Ｃ（
シアン）、Ｂ（青）の着色層１２２ａｔ、１２２ａｒがそれぞれ配置されている。
【００８１】
一方、他のサブ画素Ｄｘｇ´には光透過領域Ａｔ及び光反射領域Ａｒが設けられ、光透
過領域ＡｔにはＧ（緑）の着色層１２２ａｔが配置されているが、光反射領域Ａｒには着
色層が配置されていない。
【００８２】
本実施形態では、サブ画素Ｄｘｃ´の光反射領域にはシアンの着色層１２２ａｒが配置
されているが、サブ画素Ｄｘｇ´の光反射領域には緑の着色層が配置されていない。
【００８３】
本実施形態の場合、それぞれ光反射領域Ａｒに配置されたＲ（赤）、Ｃ（シアン）、Ｂ
（緑）の三色で反射表示が構成されることになるが、このようにしても、充分な品位のカ
ラー反射表示を実現できる。これは、反射表示が本来的に輝度やコントラストだけでなく
色再現性でも透過表示に比べて低いことに加えて、着色層を配置しない光反射領域でも緑
色に視認される傾向があるからである。
【００８４】
［第３実施形態］
図４は、さらに別の実施形態の一画素を示す概略平面図である。この第３実施形態でも
、先のいずれかの実施形態と同様に構成されている部分には同一符号を付し、それらの説
明は省略する。本実施形態は、サブ画素Ｄｘｃの光反射領域Ａｒには着色層が配置されて
いない点では先の各実施形態と同様であるが、サブ画素Ｄｘｒ、Ｄｘｇ、Ｄｘｂに設けら
れた光反射領域Ａｒにおいて、それぞれのＲ（赤）、Ｇ（緑）、Ｂ（青）の着色層１２２
ａｒが全面的に形成されている点で先の各実施形態とは異なる。
【００８５】
上述のように、本発明では、サブ画素Ｄｘｃの光反射領域Ａｒに着色層が配置されてい
ないことにより、反射表示の明るさを確保しやすくなっているので、他のサブ画素Ｄｘｒ
、Ｄｘｇ、Ｄｘｂの光反射領域Ａｒにおいて着色層が配置されていない部分を設ける必要
性が少なく、上記のように全面的に着色層１２２ａｒを配置しても、反射表示を充分に明
るく構成することができる。
【００８６】
また、本実施形態では、反射表示のカラー化を行う三つの着色層１２２ａｒをそれぞれ
備えた他のサブ画素Ｄｘｒ、Ｄｘｇ、Ｄｘｂの光反射領域Ａｒにおいて全面的に着色層１
２２ａｒを形成していることにより、反射表示の色再現性を高めることができるという利
点がある。
【００８７】
なお、本実施形態では上記第１実施形態をベースとして構成しているが、上記第２実施
形態をベースとして、Ｒ（赤）、Ｃ（シアン）、Ｂ（青）を光反射領域全体に配置するよ
うにしても構わない。
【００８８】
［電子機器］
最後に、上述した各実施形態に係る電気光学装置を電子機器に用いた実施形態に説明す
る。図７は、本発明に係る電子機器の一実施形態であるノート型パーソナルコンピュータ
を示している。このパーソナルコンピュータ２００は、複数の操作ボタン２０１ａや他の
操作装置２０１ｂを備えた本体部２０１と、この本体部２０１に接続され、表示画面２０
２ａを備えた表示部２０２とを備えている。図示例の場合、本体部２０１と表示部２０２
は開閉可能に構成されている。表示部２０２の内部には上述の電気光学装置（液晶装置）
１００が内蔵されており、表示画面２０２ａに所望の表示画像が表示されるようになって
いる。この場合、パーソナルコンピュータ２００の内部には、上記電気光学装置１００を
制御する表示制御回路が設けられる。この表示制御回路は、電気光学装置１００に設けら
れる図示しない公知の駆動回路（液晶ドライバ回路など）に対して所定の制御信号を送り
、その表示態様を決定するように構成されている。
【００８９】
図８は、本発明に係る電子機器の他の実施形態である携帯電話機を示している。ここに
示す携帯電話機３００は、複数の操作ボタン３０１ａ，３０１ｂ及び送話口などを備えた
操作部３０１と、表示画面３０２ａや受話口などを備えた表示部３０２とを有し、表示部
３０２の内部に上記の電気光学装置１００が組み込まれてなる。そして表示部３０２の表
示画面３０２ａにおいて電気光学装置１００により形成された表示画像を視認することが
できるようになっている。この場合、携帯電話機３００の内部には、上記電気光学装置１
００を制御する表示制御回路が設けられる。この表示制御回路は、電気光学装置１００に
設けられる図示しない公知の駆動回路（液晶ドライバ回路など）に対して所定の制御信号
を送り、その表示態様を決定するように構成される。
【００９０】
なお、本発明に係る電子機器としては、図７や図８に示す電子機器の他に、液晶テレビ
、カーナビゲーション装置、ページャ、電子手帳、電卓、ワークステーション、テレビ電
話、ＰＯＳ端末機などが挙げられる。そして、これらの各種電子機器の表示部として本発
明に係る電気光学装置を用いることができる。
【００９１】
また、本発明は、上述の図示例にのみ限定されるものではなく、本発明の要旨を逸脱し
ない範囲内において種々変更を加え得ることは勿論である。例えば、本実施形態において
は、液晶表示パネルを備えた液晶装置で構成されるものについて説明したが、本発明は、
カラーフィルタを用いて透過表示及び反射表示を行うことができるものであれば、液晶装
置に限らず、電気泳動表示装置などの他の電気光学装置であっても構わない。
【図面の簡単な説明】
【００９２】
【図１】第１実施形態の電気光学装置の一画素の構造を示す概略平面図。
【図２】第１実施形態の電気光学装置の一つのサブ画素分の断面構造を示す概略縦断面図。
【図３】第２実施形態の電気光学装置の一画素の構造を示す概略平面図。
【図４】第３実施形態の電気光学装置の一画素の構造を示す概略平面図。
【図５】実施形態の着色層の分光スペクトルを示す図。
【図６】実施形態の着色層の色相及び色再現範囲を示すｘｙ色度図。
【図７】電子機器の実施形態の一例を示す概略斜視図。
【図８】電子機器の実施形態の他の例を示す概略斜視図。
【符号の説明】
【００９３】
１００…電気光学装置（液晶装置）、１１０，１２０…基体、１１０Ｘ…ＴＦＴ、１１
１，１２１…基板、１２２…カラーフィルタ、１２２ａｔ，１２２ａｒ…着色層、１２２
ｂｍ…遮光層、１２２ｏｃ…保護膜、１３０…液晶層、Ｐｘ…画素（ピクセル）、Ｄｘｒ
，Ｄｘｇ，Ｄｘｃ，Ｄｘｂ…サブ画素、Ａｔ…光透過領域、Ａｒ…光反射領域。
【図１】
2006350280.tif 000003
【図２】
2006350280.tif 000004
【図３】
2006350280.tif 000005
【図４】
2006350280.tif 000006
【図５】
2006350280.tif 000007
【図６】
2006350280.tif 000008
【図７】
2006350280.tif 000009
【図８】
2006350280.tif 000010